(57)【要約】【課題】ユーザーにとって鋲打ち装置及び駆動媒体容器の取り扱いを簡単にする駆動媒体容器及び鋲打ち装置を得る。【解決手段】爆発力駆動鋲打ち装置１０は、電力消費部３０、駆動媒体２３で駆動する打ち込み機構１２、及び駆動媒体容器２０のための収容部１５を有する。本発明は、駆動媒体２３を収容する内部空間２２を有する駆動媒体容器２０に、バッテリまたは蓄電池のような電源４０を配置する。好適には、電源４０を、駆動媒体容器２０の収容部４４に配置するか、またはクリップ連結部４３により駆動媒体容器２０に保持するか、または粘着連結部４５により駆動媒体容器２０に固定する。また、電源４０のエネルギ容量を駆動媒体容器２０の駆動媒体容量に応じた容量とする。駆動媒体容器２０に配置する電源４０に接触する接点素子３１，３２を、駆動媒体容器２０のための収容部１５に配置する。【選択図】図１
2004322308.tif 000002
【特許請求の範囲】
【請求項１】
ハウジング（２１）及び駆動媒体（２３）を収容する内部空間（２２）を有する爆発力駆動鋲打ち装置のための駆動媒体容器において、現場の状況に無関係なバッテリまたは蓄電池のような電源（４０）を駆動媒体容器（２０）に配置したことを特徴とする爆発力駆動鋲打ち装置のための駆動媒体容器。
【請求項２】
前記電源（４０）を駆動媒体容器（２０）の収容部（４４）に配置した請求項１記載の爆発力駆動鋲打ち装置のための駆動媒体容器。
【請求項３】
前記電源（４０）をクリップ連結部（４３）により駆動媒体容器（２０）に保持した請求項１記載の爆発力駆動鋲打ち装置のための駆動媒体容器。
【請求項４】
前記電源（４０）を粘着連結部（４５）により駆動媒体容器（２０）に固定した請求項１記載の爆発力駆動鋲打ち装置のための駆動媒体容器。
【請求項５】
電源（４０）のエネルギ容量を駆動媒体容器（２０）の駆動媒体容量に応じた容量とした請求項１記載の爆発力駆動鋲打ち装置のための駆動媒体容器。
【請求項６】
電力消費部（３０）、駆動媒体（２３）で駆動する打ち込み機構（１２）、及び駆動媒体容器（２０）のための収容部（１５）を有する爆発力駆動鋲打ち装置において、
駆動媒体容器（２０）に配置する電源（４０）に接触する接点素子（３１，３２）を、駆動媒体容器（２０）のための収容部（１５）に配置したことを特徴とする爆発力駆動鋲打ち装置。
【発明の詳細な説明】
【技術分野】
【０００１】
本発明は、くぎ、ボルト、鋲のような固定素子を基礎構造に打ち込む爆発力駆動鋲打ち装置のための駆動媒体容器であって、ハウジング及び駆動媒体を収容する内部空間を有する駆動媒体容器、並びに電力消費部、駆動媒体で駆動する打ち込み機構、及び駆動媒体容器のための収容部を有する爆発力駆動鋲打ち装置に関するものである。
【０００２】
このような駆動媒体容器には、駆動媒体として、カプセルまたは薬莢内の粉末状燃焼材料、または、液体もしくはガスの形式の燃焼材料を充填することができる。このような駆動媒体は、鋲打ち装置において打ち込み機構を駆動するために使用する。
【背景技術】
【０００３】
爆発力駆動鋲打ち装置として、粉末装填弾薬を配列した細条を駆動媒体容器としてのマガジンボックスに配置したものがある。（例えば、特許文献１参照。）この弾薬細条またはマガジン細条はマガジンボックス内に配置する。
【特許文献１】米国特許第４，２０４，４７３号明細書
【０００４】
また駆動媒体としてガスおよび／または液体による燃焼材料を、圧力容器として構成した駆動媒体容器に収容したものがある。（例えば、特許文献２参照。）
【特許文献２】独国特許第１９７４６０１８号明細書
【０００５】
爆発力駆動鋲打ち装置の開発において、多量の電力を消費する電気機械的な機能が付加されてきている。燃焼室をきれいにするために電気的に作動する送風機を設けた鋲打ち装置がある。（例えば、特許文献３参照。）必要な電気的エネルギは、バッテリ用間仕切りに配置したバッテリによってまかなう。駆動媒体容器は、圧力容器として鋲打ち装置の個別のハウジング間仕切り内に配置される。
【特許文献３】米国特許第４，４８３，２８０号明細書
【発明の開示】
【発明が解決しようとする課題】
【０００６】
従来の技術は、ハウジング内に間仕切りを設けなければならず、従って、製造コストが高くなる。さらに、ユーザーは、圧力容器及びバッテリの残量が少なくなったとき、個別に交換しなければならないならない。
【０００７】
従って、本発明の目的は、上述の欠点を解決し、ユーザーにとって鋲打ち装置及び駆動媒体容器の取り扱いを簡単にする駆動媒体容器及び鋲打ち装置を得るにある。
【課題を解決するための手段】
【０００８】
この目的を達成するため、本発明爆発力駆動鋲打ち装置のための駆動媒体容器は、現場の状況に無関係な、すなわち、外部電源がなくても済むバッテリまたは蓄電池のような電源を駆動媒体容器に配置したことを特徴とする。
【発明の効果】
【０００９】
この構成により、鋲打ち装置のユーザーは内容物の残量が少なくなったとき、単に駆動媒体容器のみを交換するだけでよくり、時間を節約することができる。更に、電源のための収容部を個別に設ける必要がないため、鋲打ち装置の構造的空間を節約できる。
【発明を実施するための最良の形態】
【００１０】
本発明の好適な実施例においては、電源を駆動媒体容器の収容部に、収容可能／交換可能に配置する。この構成により、収容部に配置する際に、バッテリを駆動媒体容器に収容することができ、電源の分別廃棄または（新たな駆動媒体用における）再利用も可能になる。
【００１１】
好適な実施例においては、電源をクリップ連結部により収容可能／交換可能に駆動媒体容器に保持する。
【００１２】
製造コストを低減するため、電源を粘着連結部により駆動媒体容器に着脱自在に固定すると好適である。
【００１３】
また、好適な実施例においては、電源のエネルギ容量を駆動媒体容器の駆動媒体容量に応じた容量とする。例えば、１００回の打ち込み作業をすることができる駆動媒体容器の駆動媒体容量の場合、電源容量は、１００回の打ち込み作業をするに必要な電力消費に対応するエネルギ容量とする。
【００１４】
さらに、本発明は、電力消費部、駆動媒体で駆動する打ち込み機構、及び駆動媒体容器のための収容部を有する爆発力駆動鋲打ち装置において、駆動媒体容器に配置する電源に接触する接点素子を、駆動媒体容器のための収容部に配置したことを特徴とする。この本発明爆発力駆動鋲打ち装置によれば、ユーザーは、時間の経過とともに、内容の残量が少なくなったときに駆動媒体容器のみ交換しさえすればよくなる。さらにまた、電源用に個別の収容部を設ける必要がないため、装置の構造上の空間を節約することができる。
【００１５】
次に、図面につき本発明の好適な実施例を説明する。
【実施例１】
【００１６】
図１に、本発明による第１実施例の鋲打ち装置１０における駆動媒体容器２０を示す。鋲打ち装置１０は、駆動機構１２を収容する装置ハウジング１１を有し、この駆動機構１２は、ピストン案内１４またはピストン室内に配置した駆動ピストン１３及び細条２６に充填配列した駆動媒体２３を収容するための弾薬筒１８を設ける。弾薬筒１８内に配置した駆動媒体２３は、図示しない点火ユニットによって、電気的に、または電気機械的に点火することができる。点火後に、駆動ピストン１３は膨張する爆発ガスによって駆動され、例えば、鋲打ち装置１０の鋲案内内に配置したくぎまたはボルトを基礎構造（やはり図示せず）に打ち込む等の打ち込み作業を行う。図示の装置は、さらに、グリップ１６を有し、このグリップ１６に作動スイッチ１７を設ける。また、鋲打ち装置１０には、例えば、制御回路、点火回路、データ処理ユニット等の少なくとも１個の電力消費部３０を配置する。
【００１７】
鋲打ち装置１０には、さらに、駆動媒体容器２０を一時的に差し込んで収容することができる収容部１５を設ける。図示しない案内手段によって、駆動媒体容器２０の適正な差し込みの指向性を付与することができる。収容部１５の底部には、ばね負荷した構成の電気的な接点素子３１，３２を配置する。この接点素子は、電気導線３３，３４を介して電力消費部３０に接続する。
【００１８】
駆動媒体容器２０は、内部空間２２をなす容器ハウジング２１を有し、内部空間２２内には、細条２６に配列した固体火薬形式の駆動媒体２３を配置する。容器ハウジング２１の片側の壁には、クリップ連結部４３によって保持する平坦バッテリの形式の電源４０を配置する。電源４０は、クリップ連結部４３によって駆動媒体容器２０に交換可能に保持される。
【００１９】
駆動媒体容器２０が鋲打ち装置１０の収容部１５に適正に差し込まれると、電源４０の接点素子４１，４２が、鋲打ち装置１０の接点素子３１，３２に対して電気的接続を生じ、電源４０から電流を供給することができるようになる。
【実施例２】
【００２０】
図２及び図３には本発明による駆動媒体容器２０の他の実施例を示す。この実施例の駆動媒体容器２０は、バッテリをなす電源４０を駆動媒体容器２０の収容部４４に交換可能に配置する点で、上述の実施例とは異なる。
【実施例３】
【００２１】
図４には、本発明による鋲打ち装置１０のさらに他の実施例を示し、この実施例の鋲打ち装置は、駆動媒体２３として液状またはガス状の燃焼材料で駆動することができるものとする。この鋲打ち装置１０は、弾薬筒全体が、ピストン案内１４の端部の燃焼室１９を構成し、この燃焼室１９内で燃焼材料（駆動媒体）‐空気混合物を点火ユニット３５によって点火可能にしている点で上述の実施例とは異なる。駆動媒体２３または燃焼材料は、駆動媒体容器に後付けする分注装置３６により燃焼室１９に分注する。制御装置を構成する電力消費部３０は、作動スイッチ１７を操作することにより点火信号を供給する。
【００２２】
収容部１５は、圧力容器として構成した駆動媒体容器２０を収容する。図５に示す駆動媒体容器２０は、収容部１５を部分的に切除して詳細に示す。
【００２３】
圧力容器として構成した図４及び図５に示す駆動媒体容器２０は、ハウジング２１を有し、このハウジング２１の内部空間２３にはガスおよび／または液体の形式の燃焼材料が収容される。駆動媒体容器２０の底部に、粘着連結部４５を介して電源４０を固定する。電源４０の接点素子４１，４２は、鋲打ち装置１０の収容部１５に駆動媒体容器２０を装着したとき、接点素子３１，３２に対して電気的接触を生じ、鋲打ち装置１０に電流を供給するようにする。
【図面の簡単な説明】
【００２４】
【図１】本発明による鋲打ち装置の第１実施例であり、一部切除して収容部に配置した駆動媒体容器を示す一部断面とする側面図である。
【図２】本発明による鋲打ち装置の第２実施例に使用する駆動媒体容器の一部切除した底面図である。
【図３】図２の第２実施例の駆動媒体容器の一部切除した側面図である。
【図４】本発明による鋲打ち装置の第３実施例の一部切除して示す側面図である。
【図５】図４の第３実施例に使用する駆動媒体容器の一部切除して示す側面図である。
【符号の説明】
【００２５】
１０  鋲打ち装置
１１  装置ハウジング
１２  駆動機構
１３  駆動ピストン
１４  ピストン案内
１５  収容部
１６  グリップ
１７  作動スイッチ
１８  弾薬筒
１９  燃焼室
２０  駆動媒体容器
２１  容器ハウジング
２２  内部空間
２３  駆動媒体
２６  細条
３０  電力消費部
３１  接点素子
３２  接点素子
３３  電気導線
３４  電気導線
３５  点火ユニット
３６  分注装置
４０  電源
４１  接点素子
４２  接点素子
４３  クリップ連結部
４４  収容部
４５  粘着連結部
【図１】
2004322308.tif 000003
【図２】
2004322308.tif 000004
【図３】
2004322308.tif 000005
【図４】
2004322308.tif 000006
【図５】
2004322308.tif 000007